(57)【要約】  適切な強度を確保しつつ大画面化および薄型化に適した構造を有する表示装置を提供する。この表示装置は、互いに連結された複数の押出成型部材を有するフレーム構造体と、表示パネルと、フレーム構造体に取り付けられると共に表示パネルを保持する中間部材とを備える。
2018012107.tif 000002
【特許請求の範囲】
【請求項１】
互いに連結された複数の押出成型部材を有するフレーム構造体と、
表示パネルと、
前記フレーム構造体に取り付けられると共に前記表示パネルを保持する中間部材と
を備えた表示装置。
【請求項２】
前記フレーム構造体は、
いずれも水平方向に伸びる第１のビームおよび第２のビームと、
いずれも鉛直方向に延びると共に前記第１のビームおよび前記第２のビームの両端同士を繋ぐ第１のピラーおよび第２のピラーと、
前記第１のピラーと前記第２のピラーとの間に配置され、いずれも前記第１のビームと前記第２のビームとを繋ぐように鉛直方向に延びる複数のサブピラーと
を有する請求項１記載の表示装置。
【請求項３】
前記第１のビーム、前記第２のビーム、前記第１のピラー、前記第２のピラー、および前記複数のサブピラーのうちの少なくとも１つには、各々の長手方向に延在するリブが形成されている
請求項２記載の表示装置。
【請求項４】
面発光ユニットをさらに備え、
前記表示パネルは、画像を表示する表示面、前記表示面と反対側の背面、および前記表示面と前記背面とを繋ぐ端面を有する透過型の液晶表示パネルであり、
前記面発光ユニットは、前記フレーム構造体の内部に配置されると共に前記表示パネルの前記背面に光を照射する
請求項２記載の表示装置。
【請求項５】
前記面発光ユニットは、
前記光を各々発する複数の発光素子と、
前記複数の発光素子から各々発せられた複数の前記光を前記表示パネルへ向けて反射する反射部材と
を有し、
前記複数の発光素子および前記反射部材は、前記第１のピラー、前記第２のピラーおよび前記複数のサブピラーの少なくとも１つに固定されている
請求項４記載の表示装置。
【請求項６】
前記反射部材は、
前記表示パネルの面内方向において互いに離間して配置されて各々前記第１のピラー、前記第２のピラーおよび前記複数のサブピラーの少なくとも１つに固定された複数の分割パネルを含む
請求項５記載の表示装置。
【請求項７】
前記反射部材は、
前記複数の分割パネルの隙間と重複するように配置され、前記複数の発光素子から各々発せられた前記複数の光を前記表示パネルへ向けて反射する複数のカバー部材をさらに有する
請求項６記載の表示装置。
【請求項８】
前記表示パネルは、画像を表示する表示面、前記表示面と反対側の背面、および前記表示面と前記背面とを繋ぐ端面を有し、
前記中間部材は、前記表示パネルの外縁に沿って延在する基板と、前記基板の長手方向に沿って配列され、それぞれ前記基板に対する相対位置が調整可能に前記基板に保持された複数のピースとを有し、
前記複数のピースは、前記表示パネルの前記端面と当接する当接面をそれぞれ含んでいる
請求項１記載の表示装置。
【請求項９】
前記複数のピースは、各々の前記当接面が実質的に同一の面内に含まれるように前記基板に対する相対位置が調整された状態で前記基板に保持されている
請求項８記載の表示装置。
【請求項１０】
前記表示パネルは、前方へ向けて画像を表示する表示面、前記表示面と反対側の背面、および前記表示面と前記背面とを繋ぐ端面を有し、自らの中央部に近づくほど前方へ突出するように湾曲している
請求項１記載の表示装置。
【請求項１１】
前記中間部材は、前記表示パネルの前記背面の周縁部と対向する第１の対向面を含み、
前記第１の対向面は、前記表示パネルの中央部に近づくほど前方へ突出するように湾曲している
請求項１０記載の表示装置。
【請求項１２】
前記表示パネルおよび前記フレーム構造体の外縁を取り囲むように設けられたベゼルをさらに備え、
前記ベゼルは、前記中間部材の前記第１の対向面との間に前記表示パネルを挟むように設けられ、前記表示パネルの前記表示面の周縁部と対向する第２の対向面を含み、
前記第２の対向面は、前記表示パネルの中央部に近づくほど前方へ向かうように凹んでいる
請求項１１記載の表示装置。
【請求項１３】
前記表示パネルと前記面発光ユニットとの間に光学シートをさらに備えた
請求項４記載の表示装置。
【発明の詳細な説明】
【技術分野】
【０００１】
本開示は、表示装置に関する。
【背景技術】
【０００２】
近年、薄型でありながら大きな画面サイズを有する表示装置が提案されている（例えば特許文献１〜３参照）。
【先行技術文献】
【特許文献】
【０００３】
【特許文献１】特開２００４−８６０４６号公報
【特許文献２】特開２０１０−１５０９８号公報
【特許文献３】特開２０１２−１４１３８５号公報
【発明の概要】
【０００４】
最近では、表示装置の大画面化および薄型化が顕著である。しかしながら、このような表示装置の大画面化および薄型化は、その表示装置自体の強度を確保することが容易ではない。
【０００５】
したがって、適切な強度を確保しつつ大画面化および薄型化に適した構造を有する表示装置の提供が望まれる。
【０００６】
本開示の一実施形態としての表示装置は、互いに連結された複数の押出成型部材を有するフレーム構造体と、表示パネルと、フレーム構造体に取り付けられると共に表示パネルを保持する中間部材と  を備えたものである。
【０００７】
本開示の一実施形態としての表示装置では、互いに連結された複数の押出成型部材を有するフレーム構造体により、中間部材を介して表示パネルを保持するようにした。このため、例えば一枚の板金を成型してなる筐体により表示パネルを保持する構造の表示装置と比較して、大画面化による自重の増加を抑えることができる。よって、薄型であっても自重による変形が生じにくくなる。
【０００８】
本開示の一実施形態としての表示装置によれば、フレーム構造体を採用するようにしたので、大画面化および薄型化に伴う自重などによる変形を防止することができる。よって、適切な強度を確保しつつ大画面化および薄型化に適した構造を実現することができる。
なお、本開示の効果はこれに限定されるものではなく、以下に記載のいずれの効果であってもよい。
【図面の簡単な説明】
【０００９】
【図１】本開示の一実施の形態に係る表示装置の全体構成例を表す斜視図である。
【図２】図１に示した表示装置の要部の内部構成例を表す断面図である。
【図３】図１に示したバックシャーシの全体構成例を表す分解斜視図である。
【図４Ａ】図１に示したバックシャーシの一部を拡大して表す斜視図である。
【図４Ｂ】図１に示したバックシャーシの他の一部を拡大して表す斜視図である。
【図５Ａ】図１に示したミドルシャーシの近傍を拡大して表す斜視図である。
【図５Ｂ】図１に示したミドルシャーシの近傍を拡大して表す分解斜視図である。
【図６】図１に示したミドルシャーシの外観を分解して表す斜視図である。
【図７Ａ】図６に示したミドルシャーシの一構成要素の外観を表す斜視図である。
【図７Ｂ】図６に示したミドルシャーシの一構成要素の外観を表す他の斜視図である。
【図８】図６に示したミドルシャーシの一部の断面を模式的に表す断面図である。
【図９】図１に示した表示パネルの周縁部の断面を模式的に表す断面図である。
【図１０】図１に示した発光装置の全体構成例を表す斜視図である。
【図１１Ａ】図１０に示した反射部材を拡大して表す斜視図である。
【図１１Ｂ】図１０に示した反射部材を拡大して表す他の斜視図である。
【発明を実施するための形態】
【００１０】
以下、本開示の実施の形態について図面を参照して詳細に説明する。なお、説明は以下の順序で行う。
１．一実施の形態およびその変形例
フレーム構造を有するバックシャーシを備えた表示装置の例。
２．その他の変形例
【００１１】
＜１．一実施の形態＞
［表示装置１００の構成］
図１は、本開示の一実施の形態としての表示装置１００の全体構成を表したものである。図２は、図１に示した表示装置１００の要部の内部構成例を表す断面図である。表示装置１００は、例えば薄型テレビジョン装置として用いられるものであり、発光装置１と光学シート２と表示パネル３とが重なり合うように、観察者（視聴者）に向かって順に配置されている。表示装置１００は、バックシャーシ４、ミドルシャーシ５およびベゼル６をさらに備えている。なお、この表示装置１００では、発光装置１、光学シート２および表示パネル３が配列される方向をＺ軸方向とする。また、Ｚ軸方向と直交する面内において、長手方向をＸ軸方向とし、短尺方向をＹ軸方向とする。
【００１２】
（バックシャーシ４）
図３は、バックシャーシ４の全体構成例を表す分解斜視図である。バックシャーシ４は、互いに連結された複数の押出成型部材を有するフレーム構造体である。このような構成により、例えば１枚もしくは複数枚の平板によりバックシャーシを構成した場合よりも、軽量でありながら、より高い強度が実現される。具体的には例えば図３に示したように、一対のビーム４１（４１Ａ，４１Ｂ）、一対のピラー４２（４２Ａ，４２Ｂ）および複数のサブピラー４３（４３Ａ〜４３Ｄ）などが押出成型部材の一具体例に相当する。ビーム４１Ａおよびビーム４１Ｂは、いずれも水平方向（Ｘ軸方向）に伸びる部材である。ビーム４１Ａは発光装置１、光学シート２および表示パネル３の各々の上端縁に沿って配置され、ビーム４１Ｂは発光装置１、光学シート２および表示パネル３の各々の下端縁に沿って配置されている。一方、ピラー４２Ａおよびピラー４２Ｂは、いずれも鉛直方向（Ｙ軸方向）に伸びる部材である。ピラー４２Ａは、観察者から見て発光装置１、光学シート２および表示パネル３の各々の右端縁に沿って配置され、ピラー４２Ｂは、観察者から見て発光装置１、光学シート２および表示パネル３の各々の左端縁に沿って配置されている。
【００１３】
図４Ａおよび図４Ｂは、いずれもバックシャーシ４の要部構成例を表す分解斜視図であり、ビーム４１Ａとピラー４２Ａとの連結部分およびビーム４１Ａとピラー４２Ｂとの連結部分をそれぞれ拡大して示したものである。ビーム４１Ａは、ＸＹ面内においてＸ軸方向へ延在する基部４１１と、ＸＺ面内においてＸ軸方向へ延在する壁部４１２と、それら基部４１１と壁部４１２とを繋ぐ傾斜部４１３とを有する。ビーム４１Ｂも実質的にビーム４１Ａと同じ構造を有する。また、一対のピラー４２Ａ，４２Ｂは、いずれも、ＸＹ面内においてＹ軸方向へ延在する基部４２１と、ＹＺ面内においてＹ軸方向へ延在する壁部４２２と、それら基部４２１と壁部４２２とを繋ぐ傾斜部４２３とを有する。
【００１４】
図４Ａに示したように、ビーム４１Ａの右端部とピラー４２Ａの上端部とは、Ｌ状金具４５ＡおよびＬ状金具４６Ａならびにねじ４７Ａおよびねじ４８Ａを介して連結されている。具体的には、基部４１１および基部４２１が共通のＬ状金具４５Ａとそれぞれねじ４７Ａにより締結されると共に、壁部４１２および壁部４２２が共通のＬ状金具４６Ａとそれぞれねじ４８Ａにより締結されている。Ｌ状金具４５Ａには、ねじ４７Ａが挿通される複数の孔４５ＡＫが設けられている。ビーム４１Ａの右端部の基部４１１およびピラー４２Ａの上端部の基部４２１には、複数の孔４５ＡＫと対応する位置に、ねじ４７Ａが挿通される複数の孔４１１Ｋ，４２１Ｋがそれぞれ設けられている。Ｌ状金具４６Ａには、ねじ４８Ａが挿通される複数の孔４６ＡＫが設けられている。壁部４１２および壁部４２２には、複数の孔４６ＡＫと対応する位置に、ねじ４８Ａが挿通される複数の孔４１２Ｋ，４２２Ｋがそれぞれ設けられている。
【００１５】
同様に、図４Ｂに示したように、ビーム４１Ａの左端部とピラー４２Ｂの上端部とは、Ｌ状金具４５ＢおよびＬ状金具４６Ｂならびにねじ４７Ｂおよびねじ４８Ｂを介して連結されている。具体的には、基部４１１および基部４２１が共通のＬ状金具４５Ｂとそれぞれねじ４７Ｂにより締結されると共に、壁部４１２および壁部４２２が共通のＬ状金具４６Ｂとそれぞれねじ４８Ｂにより締結されている。Ｌ状金具４５Ｂには、ねじ４７Ｂが挿通される複数の孔４５ＢＫが設けられている。ビーム４１Ａの左端部の基部４１１およびピラー４２Ｂの上端部の基部４２１には、複数の孔４５ＢＫと対応する位置に、ねじ４８Ｂが挿通される複数の孔４１１Ｋ，４２１Ｋがそれぞれ設けられている。Ｌ状金具４６Ｂには、ねじ４８Ｂが挿通される複数の孔４６ＢＫが設けられている。壁部４１２および壁部４２２には、複数の孔４６ＢＫと対応する位置に、ねじ４８Ｂが挿通される複数の孔４１２Ｋ，４２２Ｋがそれぞれ設けられている。
【００１６】
複数の孔４１１ＫはＸ軸方向に伸びる長孔であることが望ましく、複数の孔４２１ＫはＹ軸方向に伸びる長孔であることが望ましい。あるいは、孔４２１ＫにおけるＸ軸方向の寸法およびＹ軸方向の寸法の双方を孔４５ＡＫにおけるＸ軸方向の寸法およびＹ軸方向の寸法よりも大きくしてもよい。各押出成型部材の寸法誤差に起因するバックシャーシ４の全体の寸法を容易に調整可能とするためである。
【００１７】
なお、ビーム４１Ｂとピラー４２Ａとの連結部分の構造およびビーム４１Ｂとピラー４２Ｂとの連結部分の構造は、図４Ａおよび図４Ｂに示した構造と実質的に同じである。よって、その詳細の説明を省略する。
【００１８】
また、複数のサブピラー４３（４３Ａ〜４３Ｄ）は、いずれもビーム４１Ｂとビーム４１Ｂとを繋ぐように鉛直方向（Ｙ軸方向）に伸びる部材であり、ピラー４２Ａとピラー４２Ｂとの間に、例えばＸ軸方向において等間隔で配置されている。これらのサブピラー４３（４３Ａ〜４３Ｄ）は、各々のＹ軸方向の両端部においてビーム４１Ａおよびビーム４１Ｂとそれぞれねじなどにより固定されるようになっている。
【００１９】
バックシャーシ４は、複数のサブピラー４３同士を繋ぐように水平方向に延在する複数のサブビーム４４（４４Ａ〜４４Ｅ）をさらに有していてもよい。
【００２０】
なお、一対のビーム４１（４１Ａ，４１Ｂ）、一対のピラー４２（４２Ａ，４２Ｂ）および複数のサブピラー４３（４３Ａ〜４３Ｄ）の少なくとも１つには、各々の長手方向に延在するリブが形成されているとよい。各押出成型部材の薄型化を図りつつ、よりいっそう強度を高めることができるからである。
【００２１】
また、一対のビーム４１（４１Ａ，４１Ｂ）、一対のピラー４２（４２Ａ，４２Ｂ）および複数のサブピラー４３（４３Ａ〜４３Ｄ）は、例えばステンレス鋼などの高剛性の金属材料により構成されているとよい。あるいは、アルミニウム、チタンまたはマグネシウムなどの単体、もしくはそれらの元素を含む合金により構成し、軽量化を図るようにしてもよい。さらには、繊維強化プラスチック（ＦＲＰ：Fiber-Reinforced Plastics
）などの適用可能性をも有する。さらに、一対のビーム４１（４１Ａ，４１Ｂ）、一対のピラー４２（４２Ａ，４２Ｂ）および複数のサブピラー４３（４３Ａ〜４３Ｄ）は、押出成型により形成された押出成型部材であることにより、バックシャーシ４は、製造容易性により優れた構造を有する。
【００２２】
（ミドルシャーシ５）
ミドルシャーシ５は、バックシャーシ４に取り付けられると共に表示パネル３を保持する中間部材である。ミドルシャーシ５は、図１に示したように、例えば表示装置１００のうちの４箇所に設けられている。そのうち、例えば表示パネル３の上端部に沿ってＸ軸方向に伸びるものをミドルシャーシ５Ａ、表示パネル３の下端部に沿ってＸ軸方向に伸びるものをミドルシャーシ５Ｂ、表示パネル３の右端部に沿ってＹ軸方向に伸びるものをミドルシャーシ５Ｃ、表示パネル３の左端部に沿ってＹ軸方向に伸びるものをミドルシャーシ５Ｄとする。ミドルシャーシ５Ａ〜５Ｄは、実質的に同一の構造を有する。したがって、以下ではミドルシャーシ５Ｂを代表して説明する。
【００２３】
図５Ａは、ミドルシャーシ５Ｂの一部を拡大して表す断面斜視図であり、図５Ｂはその分解断面斜視図である。図６はミドルシャーシ５Ｂの全体構成例を表す分解斜視図である。図７Ａは、ミドルシャーシ５Ｂの一構成要素である一のピース５０を、表示装置１００の外側から眺めたときの外観を拡大して表す斜視図であり、図７Ｂはそのピース５０を表示装置１００の内側から眺めたときの外観を拡大して表す斜視図である。
【００２４】
ミドルシャーシ５Ｂは、表示パネル３の外縁に沿って延在する、例えば短冊状をなす基板５１と、その基板５１の長手方向に沿って配列され、それぞれ基板５１に対する相対位置が調整可能に基板５１に保持された複数のピース５０（５０Ａ〜５０Ｄ）とを有する（図５Ａ，図５Ｂ，図６）。
【００２５】
複数のピース５０は、係止部５４Ｔをそれぞれ含んでいる（図５Ａ，図５Ｂ）。詳細には、図５Ｂに示したように、係止部５４Ｔは、表示パネル３の端面３Ｔと当接する当接面としての壁面５４Ｔ１と、表示パネル３の背面３Ｂの周縁部を支持する底面５４Ｔ２とを含んでいる。複数のピース５０は、各々の壁面５４Ｔ１が実質的に同一の面内に含まれるように基板５１に対する相対位置が調整された状態で基板５１に保持されている。基板５１は、例えばステンレス鋼などの高剛性材料により構成されている。複数のピース５０は、例えばＸＹ面内においてＸ軸方向へ延在する基部５４と、基部５４に対してＺ軸方向に立設し、ＸＺ面内においてＸ軸方向へ延在する壁部５５とをそれぞれ含んでいる。基部５４には開口５４Ｋが設けられており、その開口５４Ｋに挿通されたねじ５２が基板５１に設けられたねじ孔５１Ｈ（図５Ｂ）と嵌合することにより、基板５１と基部５４（ピース５０）とが固定されるようになっている。ここで、開口５４Ｋの寸法に余裕を持たせることで、各ピース５０の、基板５１に対するＸ軸方向およびＹ軸方向における相対位置が調整可能となっている。基部５４は、バックシャーシ４のビーム４１（４１Ｂ）に設けられた棚部４１４（図５Ａ，図５Ｂ）との間に光学シート２を挟持するようになっている。棚部４１４は、ビーム４１（４１Ｂ）の壁部４１２に固定されている。基部５４には、Ｙ軸方向に伸びるリブ５４Ｌが複数設けられている。リブ５４Ｌの存在により基部５４の強度が向上し、大型化によって重量が増加した表示パネル３であってもピース５０は十分に支持することができる。壁部５５は、ビーム４１（４１Ｂ）の壁部４１２の一部と重なり合うようになっている。壁部５５には開口５５Ｋが設けられており、その開口５５Ｋに挿通されたねじ５３が壁部４１２に設けられたねじ孔４１２Ｈ（図５Ｂ）と嵌合することにより、ビーム４１（４１Ｂ）の壁部４１２とピース５０の壁部５５とが固定されるようになっている。ここでねじ５３として段付きねじを用いたり、所定の高さを有するワッシャなどをねじ５３と壁部４１２との間に介在させたりすることで、壁部５５を壁部４１２に対して締め付けすぎることのないようにするとよい。係止部５４Ｔの壁面５４Ｔ１が表示パネル３の端面３Ｔに当接した際、表示パネル３の端面３Ｔに対して局所的に応力が負荷されないようにするためである。表示パネル３が例えば液晶表示素子を用いたものである場合、応力が強く負荷された部分のみ画像が白味を帯びるなどの画質の劣化を招くおそれがあるからである。
【００２６】
また、各ピース５０における基部５４の厚さは、基板５１の延在方向の中央部分、すなわち表示装置１００の中央部分に向かうほど薄くなっているとよい。例えば図８に示したように、複数のピース５０Ａ〜５０Ｄにおける基部５４の底面５４Ｔ２が、全体として表示パネル３の中央部に近づくほど前方（＋Ｚ方向）へ突出する曲線を描くように湾曲しているとよい。そのように湾曲した基部５４の底面５４Ｔ２に沿って表示パネル３もまた、前方へ突出するように湾曲するからである。なお、底面５４Ｔ２は、本開示の「第１の対向面」に対応する一具体例である。
【００２７】
（ベゼル６）
ベゼル６は、主にバックシャーシ４、ミドルシャーシ５および表示パネル３の各周縁部を保護すると共に審美性を向上させるための枠部材である。ベゼル６は、図１に示したように、例えば４つの部分に分割される。そのうち、例えば表示パネル３の上端部に沿ってＸ軸方向に伸びるものをベゼル６Ａ、表示パネル３の下端部に沿ってＸ軸方向に伸びるものをベゼル６Ｂ、表示パネル３の右端部に沿ってＹ軸方向に伸びるものをベゼル６Ｃ、表示パネル３の左端部に沿ってＹ軸方向に伸びるものをベゼル６Ｄとする。ベゼル６Ａ〜６Ｄは、実質的に同一の構造を有する。したがって、以下ではベゼル６Ａを代表して説明する。
【００２８】
図２に示したように、ベゼル６（６Ａ）は、表示パネル３の外縁およびバックシャーシ４の外縁を取り囲むように設けられた部材であり、前方部分６１と後方部分６２と中間部分６３とを含んでいる。前方部分６１は、ＸＹ面内においてＸ軸方向に延在する部分であり、ミドルシャーシ５Ａの底面５４Ｔ２との間に表示パネル３の周縁部を挟むように設けられ、表示パネル３の周縁部と対向する第２の対向面としての内面６１Ｓを含んでいる。この内面６１Ｓは、例えば図９に示したように、表示パネル３の中央部に近づくほど前方（＋Ｚ方向）へ向かうように湾曲している。すなわち、内面６１Ｓは、後方（−Ｚ方向）に向けて凹面となっている。したがって、ベゼル６（６Ａ）とミドルシャーシ５（５Ａ）との間に挟まれた表示パネル３は、内面６１Ｓの形状および底面５４Ｔ２の形状に沿って、前方へ突出するように湾曲した状態となる。ベゼル６Ｂ〜６Ｄにおける前方部分６１の内面６１Ｓの形状およびミドルシャーシ５Ｂ〜５Ｄにおける底面５４Ｔ２の形状についても同様とすることにより、表示パネル３は、自らの中央部に近づくほど前方へ突出するように湾曲した状態となる。なお、本実施の形態では、前方部分６１の内面６１Ｓの形状およびミドルシャーシ５Ｂ〜５Ｄにおける底面５４Ｔ２の形状を、いずれもＸＹ平面に対する傾きが連続的に変化するようにしたが、本開示はこれに限定されない。内面６１Ｓおよび底面５４Ｔ２のＸＹ平面に対する傾きが段階的に変化するようにしてもよい。あるいは、内面６１Ｓが階段状をなし、前方部分６１の厚さが段階的に変化する（表示パネル３の中央部分に近づくほど段階的に薄くなる）ようにしてもよい。同様に、ミドルシャーシ５の底面５４Ｔ２が階段状をなし、ミドルシャーシ５の基部５４の厚さが段階的に変化する（表示パネル３の中央部分に近づくほど段階的に厚くなる）ようにしてもよい。また、内面６１Ｓの形状と底面５４Ｔ２の形状とは一致していることが望ましいが、一致していなくともよい。
【００２９】
（発光装置１）
図１０は、発光装置１の全体構成例を表す斜視図である。また、図１１Ａは、発光装置１の要部を拡大して表す斜視図である。発光装置１は、表示パネル３の背面３Ｂに照明光を提供する、いわゆるバックライトユニット（面発光ユニット）である。発光装置１は、バックシャーシ４に収容されてＸＹ面内に広がる基板１１と、その基板１１の前方に配置されてＸＹ面内に広がる反射部材１２とを有している。基板１１の表面には複数の光源１０がマトリックス状に配列されている。光源１０は点光源であり、具体的には例えば白色光を発振するＬＥＤ（Light Emitting Diode；発光ダイオード）により構成されている。複数の光源１０は、反射部材１２に設けられた複数の開口１３Ｋに対し１つずつ配置されている。
【００３０】
反射部材１２は、入射光に対して反射、拡散、散乱などの光学的作用を及ぼす機能を有する部材である。反射部材１２は、ＸＹ面内において互いに離間して配置された複数の分割パネル１３を含んでいる。すなわち、複数の分割パネル１３がＸＹ平面おいてマトリクス状に配列され、１つの反射板としての反射部材１２を構成している。各分割パネル１３には、光源１０が挿入される開口１３Ｋが複数設けられている。開口１３Ｋは、それぞれ光源１０を取り囲むと共に基板１１に対して傾斜した内面１３Ｓを有する。なお、開口１３Ｋの平面形状は、図１０および図１１Ａなどに示したような円形に限定されるものではなく、楕円形や多角形など、他の形状をも取りうるものである。ＸＹ面内において、開口１３Ｋの中心点は、光源１０の光軸と一致しているとよい。
【００３１】
分割パネル１３は、例えば板状の部材から削り出しにより、あるいは射出成型や熱プレス成型などにより作製されるものである。分割パネル１３の構成材料としては、例えばポリカーボネート樹脂、ＰＭＭＡ（ポリメチルメタクリレート樹脂）などのアクリル樹脂、ポリエチレンテレフタレートなどのポリエステル樹脂、ＭＳ（メチルメタクリレートとスチレンの共重合体）などの非晶性共重合ポリエステル樹脂、ポリスチレン樹脂およびポリ塩化ビニル樹脂などが挙げられる。
【００３２】
複数の分割パネル１３は、例えば図１１Ａに示したように相互に隙間１３Ｇが生じるようにバックシャーシ４に固定されている。複数の分割パネル１３は、基板１１と共に、バックシャーシ４における、例えばピラー４２Ａ，４２Ｂ、サブピラー４３Ａ〜４３Ｄおよびサブビーム４４Ａ〜４４Ｅの少なくとも１つにねじ１４（図１１Ａ）などにより各々固定されている。隙間１３Ｇの存在により、気温の変化や光源１０の点灯に伴う温度上昇、光源１０の消灯に伴う温度低下に起因して各分割パネル１３が膨張収縮を生じた場合であっても、隣り合う分割パネル１３同士の干渉が回避できるようになっている。すなわち、各分割パネル１３の膨張収縮に起因する反射部材１２の歪みや光源１０に対する変位を抑制することができるようになっている。但し、隙間１３Ｇを設けることによって、その隙間１３Ｇに起因する暗線が表示パネル３を通じて観察者に認知されてしまう場合も考えられる。そこで、例えば図１１Ｂに示したように、複数の分割パネル１３の相互間に生じる隙間１３Ｇと重複するようにカバー部材１５（１５Ａ〜１５Ｄ）を適宜配置することが望ましい。これにより暗線の発生が抑制され、ＸＹ面内における輝度分布の劣化が回避される。図１１Ｂの例では、分割パネル１３Ａと分割パネル１３Ｂとの隙間１３Ｇ（図１１Ａ）をカバー部材１５Ａが覆い、分割パネル１３Ｂと分割パネル１３Ｃとの隙間１３Ｇ（図１１Ａ）をカバー部材１５Ｂが覆うようになっている。さらに、分割パネル１３Ｃと分割パネル１３Ｄとの隙間１３Ｇ（図１１Ａ）をカバー部材１５Ｃが覆い、分割パネル１３Ｄと分割パネル１３Ａとの隙間１３Ｇ（図１１Ａ）をカバー部材１５Ｄが覆うようになっている。なお、カバー部材１５もまたピラー４２Ａ，４２Ｂ、サブピラー４３Ａ〜４３Ｄおよびサブビーム４４Ａ〜４４Ｅの少なくとも１つにねじ１４により各々固定されている。カバー部材１５は、分割パネル１３と同種の材料により構成することができ、その場合、各光源１０から各々発せられた複数の光を表示パネル３の背面３Ｂへ向けて反射することができる。
【００３３】
（光学シート２）
光学シート２は、表示パネル３と発光装置１との間に設けられ、例えば図２，図５Ａ，図５Ｂに示したように、バックシャーシ４のビーム４１における棚部４１４に載置されている。光学シート２は、反射部材１２を全面的に覆うように設けられている。光学シート２は、例えば、拡散板，拡散シート，レンズフィルム，偏光分離シートなどのシート状部材が複数積層されたものである。このような光学シート２を設けることにより、光源１０から斜め方向に出射した光や反射部材１２から斜め方向に出射した光を正面方向（Ｚ方向）に立ち上げることが可能となり、正面輝度をさらに高めることが可能となる。
【００３４】
（表示パネル３）
表示パネル３は、前方に向けて動画像または静止画像などの画像を表示する表示面３Ａと、表示面３Ａと反対側の背面３Ｂと、それら表示面３Ａと背面３Ｂとを繋ぐ端面３Ｔとを有する。表示パネル３は、例えば透過型の液晶表示パネルであり、例えばＴＦＴ基板とカラーフィルタ基板との間に液晶層が設けられたものである。発光装置１から光学シート２を経由して到達した光が背面３Ｂに入射し、その光が表示面３Ａから出射するようになっている。表示パネル３は、さらに偏光板等を有していてもよい。
【００３５】
［表示装置１００の作用および効果］
表示装置１００では、発光装置１の光源１０から発せられた光が、その光源１０の発光点から３６０°全方位に広がる。そののち、直接的に光学シート２に入射し、または反射部材１２や基板１１の表面などにおいて反射するなどして間接的に光学シート２の裏面に入射する。光学シート２の裏面に入射した光は光学シート２を透過して表面から出射し、面発光光として表示パネル３に照射される。表示パネル３では、発光装置１からの光が選択的に透過することにより、画像信号に応じた適切な画像表示が行われる。
【００３６】
この表示装置１００では、互いに連結された複数の押出成型部材を有するフレーム構造体としてのバックシャーシ４を採用し、ミドルシャーシ５を介して表示パネル３を保持するようにした。このため、例えば一枚の板金をプレス成型してなる筐体により表示パネルを保持する構造の表示装置と比較して、大画面化による自重の増加を抑えることができる。よって、薄型であっても自重による変形が生じにくくなる。したがって、この表示装置１００によれば、適切な強度を確保しつつ大画面化および薄型化に適した構造を実現することができる。
【００３７】
特に、一対のビーム４１、一対のピラー４２および複数のサブピラー４３などを押出成型部材とした。このため、寸法誤差が少なく、均質の材料組成を有するビーム４１やピラー４２およびサブピラー４３を、大量かつ迅速に製造することができる。また、プレス成型品のように金型を用いる必要がない。よって、この表示装置１００は、コスト面で有利な構造を有するといえる。
【００３８】
なお、バックシャーシ４を製造するにあたっては、例えば水平に載置された平板に、ビーム４１、ピラー４２およびサブピラー４３などの各押出成型部材の位置を決定する基準となる複数の壁や凹部を設けた専用の治具を用いるとよい。そのような治具を用いることで、相対位置が適切となるよう、各々の押出成型部材の位置を調整したのち、複数の押出成型部材を互いに締結することができる。その結果、各押出成型部材における寸法誤差等に起因する、組立後のバックシャーシ４の寸法誤差を容易に低減することができるからである。
【００３９】
また、表示装置１００では、ミドルシャーシ５が、一の基板５１に対し複数のピース５０を各々適切な位置に調整して保持するようにした構造を有する。特に、複数のピース５０は、表示パネル３の端面３Ｔと当接する各々の壁面５４Ｔ１が実質的に同一の面内に含まれるように基板５１に対する相対位置が調整された状態で基板５１に保持されている。このため、例えば１つの長尺のミドルシャーシにより表示パネル３の１辺の端面の全てを保持するようにした場合と比較して、局所的に発生する応力を緩和することができる。長尺のミドルシャーシでは、その長手方向における製造時もしくは製造後の変形等による寸法誤差もしくは寸法変動が生じやすい。これに対し本実施の形態では、複数のピース５０の製造ののち、それらの相対位置が調整可能なので、製造誤差そのものの影響や製造後の変形の影響を直接的に受けることがないからである。表示パネル３に対し局所的な応力を与えにくいので、表示パネル３の撓みや歪みが防止され、結果として表示パネル３における、端縁近傍での局所的な画質の劣化を回避することができる。
【００４０】
また、表示装置１００では、反射部材１２が、ＸＹ面内において互いに離間して配置された複数の分割パネル１３を含むようにした。このため、使用時における反射部材１２の膨張収縮が生じた場合であっても、複数の光源１０と、これらに各々対応する複数の開口１３Ｋとの相対位置のずれを緩和することができる。よって、反射部材１２の過熱に伴う輝度分布の変動を抑制することができ、画質の劣化を回避することができる。特に、カバー部材１５により隙間１３Ｇを覆うようにした場合には、暗線の発生を防止し、発光装置１においてより平坦な輝度分布を得ることができるので、画質への影響を十分に抑制できる。
【００４１】
また、ミドルシャーシ５の底面５４Ｔ２の形状およびベゼル６の内面６１Ｓの形状を湾曲面とすることで、表示パネル３を、その中央部に近づくほど前方へ突出するように湾曲させた。このため、表示パネル３と光学シート２との間隔（Ｚ軸方向の距離）を近づけた場合であっても両者の接触を回避することができる。したがって表示装置１００は、大型化および薄型化の両立に好適な構造を有する。
【００４２】
＜２．その他の変形例＞
以上、実施の形態を挙げて本開示を説明したが、本開示は上記実施の形態に限定されるものではなく、種々の変形が可能である。例えば、上記実施の形態において説明したバックシャーシ４、ミドルシャーシ５およびベゼル６等の配置位置や形状などは一例であって、それらに限定されるものではない。
【００４３】
また、各図に示した各構成要素の寸法および寸法比や形状は一例であって本開示がこれに限定されるものではない。また、各構成要素は１つのパーツにより構成されている場合に限定されず、２以上のパーツにより構成されていてもよい。
【００４４】
また、上記実施の形態等では、光源１０としてＬＥＤを用いるようにしたが、光源１０として半導体レーザ等を用いるようにしてもよい。
【００４５】
さらに、例えば、上記実施の形態等に記載した表示装置は、説明した全ての構成要素を備えた場合に限定されるものではなく、いくつかの構成要素を欠いてもよいし、他の構成要素をさらに備えていてもよい。
【００４６】
例えば、上記実施の形態等で説明した表示装置１００は、バックシャーシ４の背面（表示パネル３と反対側の面）を覆うリアカバーをさらに備えるようにしてもよい。リアカバーは、例えばポリスチレン（ＰＳ：polystyrene）、ポリスチレンとポリフェニレンエーテル（ＰＰＥ：polyphenyleneether）との混合材料等により構成されうる。表示装置１００は、さらに他の化粧部材を備えるようにしてもよい。リアカバーには、発光装置１を駆動する駆動回路を含む基板やチューナーを搭載するようにしてもよい。
【００４７】
また、上記実施の形態等で説明した表示装置１００は、家庭内で使用されるテレビジョンに限定されるものではなく、広く屋内外で情報表示を行うものも含まれる。さらには、各種医療機器（例えば内視鏡手術システム、手術室システムあるいは顕微鏡手術システムなど）へ適用可能性を有する。
【００４８】
なお、本明細書中に記載された効果はあくまで例示であってその記載に限定されるものではなく、他の効果があってもよい。また、本技術は以下のような構成を取り得るものである。
（１）
互いに連結された複数の押出成型部材を有するフレーム構造体と、
表示パネルと、
前記フレーム構造体に取り付けられると共に前記表示パネルを保持する中間部材と
を備えた表示装置。
（２）
前記フレーム構造体は、
いずれも水平方向に伸びる第１のビームおよび第２のビームと、
いずれも鉛直方向に延びると共に前記第１のビームおよび前記第２のビームの両端同士を繋ぐ第１のピラーおよび第２のピラーと、
前記第１のピラーと前記第２のピラーとの間に配置され、いずれも前記第１のビームと前記第２のビームとを繋ぐように鉛直方向に延びる複数のサブピラーと
を有する上記（１）記載の表示装置。
（３）
前記第１のビーム、前記第２のビーム、前記第１のピラー、前記第２のピラー、および前記複数のサブピラーのうちの少なくとも１つには、各々の長手方向に延在するリブが形成されている
上記（２）記載の表示装置。
（４）
面発光ユニットをさらに備え、
前記表示パネルは、画像を表示する表示面、前記表示面と反対側の背面、および前記表示面と前記背面とを繋ぐ端面を有する透過型の液晶表示パネルであり、
前記面発光ユニットは、前記フレーム構造体の内部に配置されると共に前記表示パネルの前記背面に光を照射する
上記（２）または（３）に記載の表示装置。
（５）
前記面発光ユニットは、
前記光を各々発する複数の発光素子と、
前記複数の発光素子から各々発せられた複数の前記光を前記表示パネルへ向けて反射する反射部材と
を有し、
前記複数の発光素子および前記反射部材は、前記第１のピラー、前記第２のピラーおよび前記複数のサブピラーの少なくとも１つに固定されている
上記（４）記載の表示装置。
（６）
前記反射部材は、
前記表示パネルの面内方向において互いに離間して配置されて各々前記第１のピラー、前記第２のピラーおよび前記複数のサブピラーの少なくとも１つに固定された複数の分割パネルを含む
上記（５）記載の表示装置。
（７）
前記反射部材は、
前記複数の分割パネルの隙間と重複するように配置され、前記複数の発光素子から各々発せられた前記複数の光を前記表示パネルへ向けて反射する複数のカバー部材をさらに有する
上記（６）記載の表示装置。
（８）
前記表示パネルは、画像を表示する表示面、前記表示面と反対側の背面、および前記表示面と前記背面とを繋ぐ端面を有し、
前記中間部材は、前記表示パネルの外縁に沿って延在する基板と、前記基板の長手方向に沿って配列され、それぞれ前記基板に対する相対位置が調整可能に前記基板に保持された複数のピースとを有し、
前記複数のピースは、前記表示パネルの前記端面と当接する当接面をそれぞれ含んでいる
上記（１）から（７）のいずれか１つに記載の表示装置。
（９）
前記複数のピースは、各々の前記当接面が実質的に同一の面内に含まれるように前記基板に対する相対位置が調整された状態で前記基板に保持されている
上記（８）記載の表示装置。
（１０）
前記表示パネルは、前方へ向けて画像を表示する表示面、前記表示面と反対側の背面、および前記表示面と前記背面とを繋ぐ端面を有し、自らの中央部に近づくほど前方へ突出するように湾曲している
上記（１）から（７）のいずれか１つに記載の表示装置。
（１１）
前記中間部材は、前記表示パネルの前記背面の周縁部と対向する第１の対向面を含み、
前記第１の対向面は、前記表示パネルの中央部に近づくほど前方へ突出するように湾曲している
上記（１０）記載の表示装置。
（１２）
前記表示パネルおよび前記フレーム構造体の外縁を取り囲むように設けられたベゼルをさらに備え、
前記ベゼルは、前記中間部材の前記第１の対向面との間に前記表示パネルを挟むように設けられ、前記表示パネルの前記表示面の周縁部と対向する第２の対向面を含み、
前記第２の対向面は、前記表示パネルの中央部に近づくほど前方へ向かうように凹んでいる
上記（１１）記載の表示装置。
（１３）
前記表示パネルと前記面発光ユニットとの間に光学シートをさらに備えた
上記（４）記載の表示装置。
【００４９】
本出願は、日本国特許庁において２０１６年７月１５日に出願された日本特許出願番号２０１６−１３９９８９号を基礎として優先権を主張するものであり、この出願のすべての内容を参照によって本出願に援用する。
【００５０】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018012107.tif 000003
【図２】
2018012107.tif 000004
【図３】
2018012107.tif 000005
【図４Ａ】
2018012107.tif 000006
【図４Ｂ】
2018012107.tif 000007
【図５Ａ】
2018012107.tif 000008
【図５Ｂ】
2018012107.tif 000009
【図６】
2018012107.tif 000010
【図７Ａ】
2018012107.tif 000011
【図７Ｂ】
2018012107.tif 000012
【図８】
2018012107.tif 000013
【図９】
2018012107.tif 000014
【図１０】
2018012107.tif 000015
【図１１Ａ】
2018012107.tif 000016
【図１１Ｂ】
2018012107.tif 000017
【国際調査報告】
2018012107.tif 000018
2018012107.tif 000019
2018012107.tif 000020
2018012107.tif 000021